(57)【要約】【課題】本発明は、端末装置、またはこれが付帯する有体物を撮影し、所定の編集が施された後に放送コンテンツとしてその端末装置に送出する画像提供装置に関し、所望の方式の放送系の活用により、従来達成されなかった形態および品質による画像の提供サービスを実現することを目的とする。【解決手段】放送コンテンツを受信しあるいは記録する機能を有する端末装置、または前記端末装置が付帯する有体物の存在を識別する識別手段と、前記端末装置または前記有体物の存在が識別されたときに、前記端末装置に対する相対位置が既知である領域の画像を得る画像取得手段と、前記画像、または前記画像に編集が施されてなる編集画像を前記放送コンテンツとして前記端末装置に送出する送出手段とを備える。【選択図】図１
2012249147.tif 000002
【特許請求の範囲】
【請求項１】
放送コンテンツを受信しあるいは記録する機能を有する端末装置、または前記端末装置が付帯する有体物の存在を識別する識別手段と、
前記端末装置または前記有体物の存在が識別されたときに、前記端末装置が位置する領域の画像を得る画像取得手段と、
前記画像に編集が施されてなる編集画像を前記放送コンテンツとして前記端末装置に送出する送出手段と
を備えたことを特徴とする画像提供装置。
【請求項２】
放送コンテンツを受信しあるいは記録する機能を有する端末装置、または前記端末装置が付帯する有体物の存在を光学的に識別する識別手段と、
前記端末装置または前記有体物の存在が識別されたときに、前記端末装置または前記有体物が位置する領域の画像を得る画像取得手段と、
前記画像に編集が施されてなる編集画像を前記放送コンテンツとして前記端末装置に送出する送出手段と
を備えたことを特徴とする画像提供装置。
【請求項３】
請求項１または請求項２に記載の画像提供装置において、
前記領域に放送波が到来する放送チャネルを検知するチャネル検知手段を備え、
前記送出手段は、
前記放送チャネルに該当しない特定の放送チャネルを介して前記端末装置に、前記編集画像を送出する
ことを特徴とする画像提供装置。
【請求項４】
請求項１ないし請求項３の何れか１項に記載の画像提供装置において、
前記送出手段は、
前記端末装置と、前記端末装置による前記放送コンテンツの受信に必要な連係を図る
ことを特徴とする画像提供装置。
【請求項５】
請求項１ないし請求項４の何れか１項に記載の画像提供装置において、
前記送出手段は、
前記放送コンテンツを微弱電波により送出する
ことを特徴とする画像提供装置。
【発明の詳細な説明】
【技術分野】
【０００１】
本発明は、端末装置、またはこれが付帯する有体物を撮影し、所定の編集が施された後に放送コンテンツとしてその端末装置に送出する画像提供装置に関する。
【背景技術】
【０００２】
近年、ディジタル通信技術が高度に進展し、隣接する周波数帯で全く異なる通信方式が適用されることによる干渉の回避が可能となっている。
【０００３】
また、携帯可能な軽量かつ小型の通信端末の普及に応じて通信や放送の活用のニーズが急速に増加し、このような通信端末の利用により多様な分野で従来無かった多くのサービスの提供が開始され、あるいは計画されつつある。
【０００４】
さらに、このような背景の下で生じる可能性が高い無線周波数の逼迫の回避や緩和の施策として、既存の放送や通信に供されていた周波数帯（混信や干渉の回避のために設けられたガードバンドを含む。）の効率的な利用を図るホワイトスペースの利活用が図られつつある。
【０００５】
ところで、上記従来無かったサービスの一形態としては、例えば、微弱電波で局所的にワンセグ放送との互換性を担保して行われる自主放送がある。
【０００６】
自主放送に用いられる放送チャネルについては、既存のアナログテレビ放送の地上波ディジタル放送への移行に伴って行われるべき混信対策や共聴施設の改修が完了するまでの期間においても、伝送品質が安定に確保されることが望まれ、このような伝送品質の確保を実現する技術としては、例えば、以下に列記するような技術がある。
【０００７】
(1) 端末や基地局が現状の無線環境を識別して採用可能な通信方式や無線周波数を動的に切り替えることにより、周波数の有効利用を図るコグニティブ無線
(2) 複数の異なる通信方式に対応可能な端末が、利用可能な個々の通信システムの伝送品質等の現状をセンスすることにより最適なネットワークを選択するヘテロジニアス型ネットワーク
【０００８】
一方、上述したディジタル通信技術はプリクラ（登録商標）等のように利用者にシール等として写真を提供する装置（以下、「プリントシール機（写真シール機）」という。）やサービスには積極的に活用されず、このようなプリントシール機（写真シール機）は、利用者が行う操作に応じて撮影された写真をプリントして提供する。
【０００９】
なお、本発明に関連性がある先行技術としては、以下に列記する特許文献１ないし特許文献４があった。
(1) 「情報として処理可能な文字又はパターンを含む被写体を電子的撮像機能により撮影し、前記文字又はパターンに対応するディジタル画像データを生成する撮影手段と、前記撮影手段により得られたディジタル画像データから所定のフォーマットからなる有意の情報を生成する情報生成手段と、前記情報生成手段により生成された情報に対応するデータを通信回線を介して送信する送信手段とを具備する」ことにより、「コアボード上に表示される情報を効率的に収集して、情報加工処理の可能なデータとして生成して提供できる情報サービスシステムを実現する」点に特徴がある情報生成システム…特許文献１
【００１０】
(2) 「被写体人物の付属情報と被写体情報との整合性に基づいて被写体人物を同定して、付属情報を撮影画像中の被写体人物位置に関連付けて画像合成を行うこと、および第１の情報機器の画像表示手段に表示された表示画像に関して、顧客による所望の選択タイミングでの注文データを第２の情報機器から第１の情報機器に送信し、第１の情報機器は、選択タイミングに対応する表示画像に関連する所定のデータを注文データに付加して商品発注データを作成し、所定の送付先の第３の情報機器に伝送する」ことにより、「被写体人物の情報取得や写真の整理を便利なものとすることのできる画像処理システムおよび簡単にテレビ画面等のシーンの画像やその関連商品や一般の商品の注文をする」点に特徴がある注文システム…特許文献２
【００１１】
(3) 「携帯端末と、個人データならびに各種データを記録する旅行サーバとからなる情報伝達システムにおいて、旅行サーバは旅行の目的地情報を含む個人データと各種データから個人毎の旅行に必要な旅行データを生成し、携帯端末の位置情報とあらかじめプログラムされた時間情報に応じて旅行サーバから旅行データを携帯端末に送信する」ことにより、「旅行先で必要な情報を簡単に取得できその日の行動をスムーズに運ぶことができる」点に特徴がある情報伝達システム…特許文献３
【００１２】
(4) 「中継現場で放送フォーマットにより撮影した撮影映像を低画質化した低画質映像を編集部に向け低ビットレート送信し、この編集部においてオフライン編集し、生成した編集リスト（ＥＤＬデータ）を今度は、中継現場に返信し、この編集リストに基づいて、撮影映像を編集する」ことにより、「中継現場で放送映像を生成可能とする」点に特徴がある
撮影映像編集方法…特許文献４
【先行技術文献】
【特許文献】
【００１３】
【特許文献１】特開２００１−２４５２８９号公報
【特許文献２】特開２００２−３０５７１７号公報
【特許文献３】特開２００３−０５０８４６号公報
【特許文献４】特開２００４−２８９７１８号公報
【発明の概要】
【発明が解決しようとする課題】
【００１４】
ところで、上述した、プリントシール機（写真シール機）によって行われる撮影の対象は、室の内部の所定の位置に居る利用者の顔や様子に限定され、その室の構造、サイズ等により一緒に撮影可能な利用者の人数にも制限があった。
【００１５】
また、このような撮影によって得られた写真は、プリントされたシール等として利用者に提供され、柔軟な画像処理や再利用の対象への変換には、スキャナー等の光学機器を介して読み込まれなければならなかった。
【００１６】
さらに、上記シール等として提供される写真は、その写真の背景がプリントシール機（写真シール機）に予め組み込まれたものに限定されるので、多様な用途に対する柔軟な利用のためには、多くの場合、フォトレタッチツール等による加工、合成、修整等が施されなければならなかった。
【００１７】
また、このような加工、合成、修整が施されることによって得られる写真の品質は、以下に列記する解像度による制限の下で、十分に高く確保されるとは限らなかった。
(1) 撮影に供されるカメラの解像度
(2) シール等の印刷に供されるフォトプリンタの解像度
【００１８】
本発明は、所望の方式の放送系の活用により、従来達成されなかった形態および品質による画像の提供サービスを実現する画像提供装置を提供することを目的とする。
【課題を解決するための手段】
【００１９】
請求項１に記載の発明では、識別手段は、放送コンテンツを受信しあるいは記録する機能を有する端末装置、または前記端末装置が付帯する有体物の存在を識別する。画像取得手段は、前記端末装置または前記有体物の存在が識別されたときに、前記端末装置が位置する領域の画像を得る。送出手段は、前記画像に編集が施されてなる編集画像を前記放送コンテンツとして前記端末装置に送出する。
【００２０】
すなわち、端末装置には、所定の位置に存在するときに、その位置を含む領域の画像が編集されることによって生成された編集画像が放送コンテンツとして提供されるが、その編集画像には、上記領域の画像には含まれない画像や文字が含まれ得る。
【００２１】
請求項２に記載の発明では、識別手段は、放送コンテンツを受信しあるいは記録する機能を有する端末装置、または前記端末装置が付帯する有体物の存在を光学的に識別する。画像取得手段は、前記端末装置または前記有体物の存在が識別されたときに、前記端末装置または前記有体物が位置する領域の画像を得る。送出手段は、前記画像に編集が施されてなる編集画像を前記放送コンテンツとして前記端末装置に送出する。
【００２２】
すなわち、端末装置には、所定の位置に存在するときに、その位置を含む領域の画像が編集されることによって生成された編集画像が放送コンテンツとして提供されるが、その編集画像には、上記領域の画像には含まれない画像や文字が含まれ得る。
【００２３】
請求項３に記載の発明では、請求項１または請求項２に記載の画像提供装置において、チャネル検知手段は、前記領域に放送波が到来する放送チャネルを検知する。前記送出手段は、前記放送チャネルに該当しない特定の放送チャネルを介して前記端末装置に、前記編集画像を送出する。
【００２４】
すなわち、端末装置に対する編集画像の送出に供される放送チャネルは、その端末装置に放送波が到来する放送チャネルではない放送チャネルに設定される。
【００２５】
請求項４に記載の発明では、請求項１ないし請求項３の何れか１項に記載の画像提供装置において、前記送出手段は、前記端末装置と、前記端末装置による前記放送コンテンツの受信に必要な連係を図る。
【００２６】
すなわち、送出手段によって編集画像の送出は、端末装置がその編集画像を受信できる状態にあること、あるいはこのような状態へ移行したことの識別や確認が図られる手順やきっかけで行われる。
【００２７】
請求項５に記載の発明では、請求項１ないし請求項４の何れか１項に記載の画像提供装置において、前記送出手段は、前記放送コンテンツを微弱電波により送出する。
【００２８】
すなわち、端末装置に対する編集画像の提供のために送出手段によって送出される放送波は、自主放送等のために実際に適用されている放送チャネルに対する妨害や混信の原因となり難い。
【発明の効果】
【００２９】
本発明によれば、所望の放送方式による放送コンテンツを受信しあるいは記録できる端末装置と、その放送方式との活用により、従来無かった画像の提供が簡便に実現される。
また、本発明では、端末装置に対するこのような画像の提供は、既存の放送に供されている放送チャネルとの混信の回避や緩和が図られつつ実現される。
さらに、本発明では、端末装置に対する編集画像の提供の確度が高められ、かつ安定に確保される。
また、本発明では、既存の放送方式に適応した放送チャネルを介する局所的な放送と、その放送に供される放送チャネルの再利用とが図られ、このような放送方式に適応した端末装置の有効かつ多様な活用が可能となる。
したがって、本発明が適用された放送系は、規定の放送チャネルの割り付けによる良好な伝送品質が損なわれることなく、多様な分野に対する様々な形態による応用が可能となる。
【図面の簡単な説明】
【００３０】
【図１】本発明の一実施形態を示す図である。
【図２】本実施形態における子局装置の動作フローチャートである。
【図３】本実施形態における親局装置の動作フローチャートである。
【図４】本実施形態の動作を説明する図である。
【発明を実施するための形態】
【００３１】
以下、図面に基づいて本発明の実施形態について詳細に説明する。
図１は、本発明の一実施形態を示す図である。
図において、上位装置１０はインタネット等の通信路を介して下位装置２０-1〜２０-nに接続され、これらの下位装置２０-1〜２０-nの内、下位装置２０-1は十字路の特定の角に設置される。また、このような十字路の対角線上で上記特定の角に対向する角には、利用者によって携帯される携帯電話端末であって、ワンセグ放送波の受信機能を有する端末装置３０が位置する。
【００３２】
上位装置１０は、上記インタネットに接続された通信ポートを有するコンピュータ１１と、そのコンピュータ１１と連係するサーバ１２とから構成される。
下位装置２０-1は、以下の要素から構成される。
【００３３】
(1) 上記インタネットに接続された通信ポートを有するコンピュータ２１-1
(2) コンピュータ２１-1の第一の入出力ポートに接続されたカメラ２２-1
(3) コンピュータ２１-1の第二の入出力ポートに接続され、かつ上記端末装置３０との連係および情報の引き渡しに供される無線伝送路を形成する無線部２３-1
【００３４】
なお、下位装置２０-2〜２０-nの構成については、下位装置２０-1の構成と同じであるので、以下では、対応する構成要素に添え番号「１」に代えて「２」〜「ｎ」が付与された符号を付与することとし、ここではこれらの説明および図示を省略する。
【００３５】
図２は、本実施形態における子局装置の動作フローチャートである。
図３は、本実施形態における親局装置の動作フローチャートである。
図４は、本実施形態の動作を説明する図である。
以下、図１〜図４を参照して本実施形態の動作を説明する。
【００３６】
以下では、下位装置２０-1〜２０-nに共通の事項については、添え番号「１」〜「ｎ」に代えて、これらの添え番号「１」〜「ｎ」の何れにも該当し得ることを意味する文字「ｃ」を対応する構成要素の符号に付与して記述する。
【００３７】
サーバ１２には、後述するように下位装置２０-cからインタネットを介して引き渡される画像情報に施されるべき編集に用いられ、かつ動画像や文字を示す下記のデータが予め登録される。
【００３８】
(1) 記念となる観光地の風景
(2) 動物園において動いている動物
(3) 端末装置３０を携帯する人（操作者）が撮影することができない背景
【００３９】
(4) 端末装置３０を携帯する人が行った場所（観光地等）を示す文字情報（詳細な解説が含まれてもよい。）
(5) スタンプラリー、オリエンテーリング等のようなイベントにかかわるキーワード
(6) イラストやアニメキャラクタ等を示す画像（静止画、動画の何れであってもよい。）
【００４０】
一方、下位装置２０-cでは、カメラ２２-cは、コンピュータ２１-cの配下で既述の十字路の向かい側にある所定の領域の様子を撮影する（図４(1))ことにより、動画像を生成する（図２ステップS１）。
【００４１】
コンピュータ２１-cは、カメラ２２-cと連係して以下の処理を行う。
(1) 上述した動画像に既定のパターン認識処理を施すことにより、例えば、上記十字路の向かい側に居る人（端末装置３０を携帯する。）を検知する（図２ステップS２、図４(2))。
【００４２】
(2) その人がカメラ２２-cに近づいて所定の位置に来たことを識別すると、無線部２３-cを起動し（図４(3))、かつその無線部２３-cを介して既定の方式に基づく放送波（例えば、微弱電波によるワンセグ放送波（自主放送波))の送信を開始する（図２ステップS３、図４(4))。
(3) インタネットを介して上位装置１０宛に上記動画像を引き渡す（図２ステップS４、図４(5))。
【００４３】
一方、上位装置１０では、コンピュータ１１は、このようにして下位装置２０-c（コンピュータ２１-c）から引き渡された動画像に、サーバ１２に予め登録された画像や文字（テロップであってもよい。）を重畳させる編集を施す（図３ステップＳ１、図４(6))ことによって編集動画像を生成し、かつインタネットを介して下位装置２０-c宛にその編集動画像を引き渡す（図３ステップＳ２、図４(7))。
【００４４】
下位装置２０-cでは、コンピュータ２１-cは、無線部２３-cを介して端末装置３０宛に上記編集動画像を放送波として送信する（図２ステップＳ５、図４(8))。
端末装置３０は、このような放送波を受信し、かつ以下の双方もしくは何れか一方を実現する（図４(9))。
【００４５】
(1) 上記放送波で示される編集動画像を復元して視聴の対象とする。
(2) 復元された編集動画像を内蔵されたＳＤメモリ等に蓄積することによって、操作者の意図や都合に応じた視聴を可能とする。
【００４６】
すなわち、端末装置３０では、カメラ２２-cの位置から行われた撮影により得られた動画像は、所望の編集が加えられた編集動画像として提供され、視聴や記録の対象となる。
【００４７】
したがって、本実施形態によれば、端末装置３０に備えられたワンセグ放送の受信機能が積極的に活用されることにより、従来のシール等に印刷されたプリクラ（登録商標）とは異なり、解像度および品質が大幅に高く、しかも、所望の記憶装置や記憶素子に対する保存と反復した利用とが容易な動画像の提供が実現される。
【００４８】
なお、本実施形態では、カメラ２２-cによってとらえられた動画像に施されるパターン認識処理により、十字路の向かい側に居る人（端末装置３０を携帯する。）の検知が行われている。
【００４９】
しかし、このような検知は、例えば、以下に列記する処理や物理量その他の如何なるものによって実現されてもよい。
(1) 画像処理領域における顔認識
【００５０】
(2) カメラ２２-cの画角の範囲における温度分布
(3) 端末装置３０と連係して行われる情報の内容（端末装置３０の位置や移動の履歴が含まれてもよい。）およびひ引き渡しの手順
【００５１】
また、本実施形態では、無線部２３-cは定常的に稼働し、既述の放送波は、送信されるべき編集動画像がない場合には無変調波として送信されてもよい。
【００５２】
さらに、本実施形態では、編集動画像の送信に供される放送チャネルは、必ずしも既知の放送チャネルでなくてもよく、例えば、以下に列記される何れの放送チャネルに、端末装置３０と下位装置２０-c（コンピュータ２１-c）との連係の下で設定されてもよい。
【００５３】
(1) 端末装置３０の操作者によって指定された放送チャネル
(2) 端末装置３０に予め設定された放送チャネル
(3) 端末装置３０がキャリアセンス等に基づいて特定した放送チャネル
【００５４】
(4) 端末装置３０が位置する地域に割り付けられ、かつ利用可能な放送チャネル
(5) 下位装置２０-c（コンピュータ２１-c）の主導の下で所定の基準やアルゴリズムに基づいて選定された放送チャネル
【００５５】
また、上述した端末装置３０と下位装置２０-c（コンピュータ２１-c）との連係のために行われる両者間の情報（電子メールであってもよい。）の引き渡しは、以下に列記されるように、如何なる無線伝送路を介して行われてもよい。
【００５６】
(1) WiFi(Wireless Fidelity)
(2) WiMAX（Worldwide
Interoperability for Microwave Access）
(3) ワンセグ放送チャネル（自主放送に供されるチャネルを含む。）
(4) BlueTooth（登録商標）
(5) 赤外線通信
(6) 携帯電話、ＰＨＳ(Personal Handyphone System)の無線チャネル
【００５７】
さらに、本実施形態では、上位装置１０に引き渡される動画像には、その動画像に上位装置１０（コンピュータ１１）によって施されるべき処理の形態が１通りではない場合には、実際に行われるべき処理の形態を示す情報（例えば、重畳されるべき画像や文字を直接的にあるいは間接的に示す情報）が含まれてもよい。
【００５８】
また、本実施形態では、端末装置３０宛に送信され、かつ編集動画像を示す放送波は、必ずしも微弱電波でなくてもよく、例えば、その放送波の視聴が端末装置３０の端末装置ではできないことが要求される場合には、以下の何れの構成が採用されてもよい。
【００５９】
(1) 端末装置３０が位置する地点の方向（適宜変更されてもよい。）に無線部２３-cのアンテナの主ローブが形成される。
(2) カメラ２２-cの画角の方向と上記アンテナの主ローブの方向とが揃えられる。
【００６０】
(3) 編集動画像が、端末装置３０以外の端末装置では復号化できない暗号キーにより暗号化された後に放送波として送信される。
(4) 適用可能な放送方式の下で実現されるオンデマンド放送として編集動画像の放送が行われる。
【００６１】
さらに、本実施形態では、カメラ２２-cは、下位装置２０-cに専用のハードウェアとして備えられているが、例えば、インタネット等を介してアクセス可能な既存のライブカメラで代替されてもよい。
【００６２】
また、本実施形態では、上位装置１０（コンピュータ１１）から下位装置２０-c（コンピュータ２１-c）に対する編集動画像の引き渡しは、両者の間に敷設（形成）された伝送路が適応可能であるならば、既述の放送波がベースバンド領域または所定の中間周波帯で行われてもよい。
【００６３】
さらに、本実施形態では、下位装置２０-1〜２０-nの全てまたは一部と上位装置１０とは併合された１つの装置として構成されてもよく、このような場合には、下位装置２０-1〜２０-nは、これらの負荷分散を実現する複数のモジュールとして構成されてもよい。
【００６４】
また、本実施形態では、端末装置３０に放送波として提供される画像は、既述の編集動画像に限定されず、静止画であってもよい。
【００６５】
さらに、本実施形態では、このような編集動画像や静止画を放送波として提供するサービスに対する課金が行われるべき場合には、その課金の対象および料金の通知および収集は、下位装置２０-c（コンピュータ２１-c）と上位装置１０（コンピュータ１１）との如何なる機能分散や負荷分散の下で行われてもよい。
また、本実施形態では、既述の十字路の向かい側にある所定の領域の様子を撮影することによる動画像の生成（図２ステップS１）は、その領域から人がカメラ２２-cに近づいて所定の位置に来たことを識別する前に行われている。
しかし、このような動画像の生成は、上述した撮影が行われるべききっかけや期間を逸する可能性がない場合には、上記人がカメラ２２-cに近づいて所定の位置に来たことが識別された後に行われてもよい。
【００６６】
さらに、本実施形態では、既定の方式に基づく放送波（例えば、微弱電波によるワンセグ放送波（自主放送波))の送信の開始（図２ステップS３）は、他の無線装置や端末装置（本発明が適用されていない。）が行うキャリアセンス等に基づく該当する放送チャネルの捕捉（占有）の可能性がなく、あるいはこのような捕捉（占有）が許容される場合には、「端末装置３０に対する既述の編集動画像の放送波としての送信（図２ステップＳ５）」に併合されてもよい。
【００６７】
また、本発明は、上述した実施形態に限定されず、本発明の範囲において多様な実施形態の構成が可能であり、構成要素の全てまたは一部に如何なる改良が施されてもよい。
【００６８】
以下、本願に開示された発明の内、「特許請求の範囲」に記載しなかった発明の構成、作用および効果を「特許請求の範囲」、「課題を解決するための手段」および「発明の効果」の欄の記載に準じた様式により列記する。
【００６９】
［請求項６］  請求項１ないし請求項５の何れか１項に記載の画像提供装置において、
前記画像取得手段は、
前記端末装置との連係の下で定まる期間に亘って、前記領域の画像を得る
ことを特徴とする画像提供装置。
【００７０】
このような構成の画像提供装置では、請求項１ないし請求項５の何れか１項に記載の画像提供装置において、前記画像取得手段は、前記端末装置との連係の下で定まる期間に亘って、前記領域の画像を得る。
【００７１】
すなわち、送出手段によって送出される編集画像に反映されるべき画像は、端末装置の状態、あるいはその端末装置の操作者の意図に整合した期間に行われる撮影により得られる。
【００７２】
したがって、端末装置に放送コンテンツとして提供される編集画像は、品質、有用性および価値だけではなく、個人情報保護（セキュリティ）の何れもが高められる。
【００７３】
［請求項７］  請求項１ないし請求項６の何れか１項に記載の画像提供装置において、
前記画像取得手段は、
前記端末装置との連係の下で許容されたときに、前記領域の画像を得る
ことを特徴とする画像提供装置。
【００７４】
このような構成の画像提供装置では、請求項１ないし請求項６の何れか１項に記載の画像提供装置において、前記画像取得手段は、前記端末装置との連係の下で許容されたときに、前記領域の画像を得る。
【００７５】
すなわち、送出手段によって送出される編集画像に反映されるべき画像は、端末装置の状態、あるいはその端末装置の操作者の意図に整合した期間に行われる撮影により得られる。
【００７６】
したがって、端末装置に放送コンテンツとして提供される編集画像は、品質、有用性および価値の何れもが高められる。
【００７７】
［請求項８］  請求項１ないし請求項７の何れか１項に記載の画像提供装置において、
前記送出手段は、
主ローブを介する照射域が前記領域に設定された空中線系を介して前記編集画像を送出する
ことを特徴とする画像提供装置。
【００７８】
このような構成の画像提供装置では、請求項１ないし請求項７の何れか１項に記載の画像提供装置において、前記送出手段は、主ローブによる照射域が前記領域に設定された空中線系を介して前記編集画像を送出する。
【００７９】
すなわち、編集画像を示す放送波が到来する領域は、端末装置が位置する領域およびその近傍に制限される。
【００８０】
したがって、上記端末装置に提供されるべき編集画像は、上述した放送波がその端末装置以外の無線装置に到来し難いために、秘匿性が確度高く担保される。
【００８１】
［請求項９］  請求項１ないし請求項８の何れか１項に記載の画像提供装置において、
前記画像取得手段は、
前記領域に視野角が設定された光学系を介して前記領域の画像を得る
ことを特徴とする画像提供装置。
【００８２】
このような構成の画像提供装置では、請求項１ないし請求項８の何れか１項に記載の画像提供装置において、前記画像取得手段は、前記領域に視野角が設定された光学系を介して前記領域の画像を得る。
【００８３】
すなわち、端末装置に放送コンテンツとして提供される編集画像には、その端末装置または既述の有体物が存在する領域の周辺の様子や地物が無用に含まれる可能性が低く抑えられる。
【００８４】
したがって、端末装置に提供される編集画像の品質は、撮影の対象が適切に絞られることにより高められる。
【００８５】
［請求項１０］  請求項１ないし請求項９の何れか１項に記載の画像提供装置において、
前記存在が識別された端末装置または有体物と、前記領域と、前記画像との全てまたは一部の属性の全てまたは一部に応じて前記編集の形態を設定する制御手段を備えた
ことを特徴とする画像提供装置。
【００８６】
このような構成の画像提供装置では、請求項１ないし請求項９の何れか１項に記載の画像提供装置において、制御手段は、前記存在が識別された端末装置または有体物と、前記領域と、前記画像との全てまたは一部の属性の全てまたは一部に応じて前記編集の形態を設定する。
【００８７】
すなわち、端末装置に提供される編集画像は、画像取得手段によって得られた画像に対して、その画像を得るための撮影の対象や形態に適した編集が施されることによって得られる。
【００８８】
したがって、端末装置に提供される編集画像は、上記撮影の対象や形態で定まるニーズに対する柔軟な適応が図られるため、有用性が高められる。
【符号の説明】
【００８９】
１０  上位装置
１１，２１  コンピュータ
１２  サーバ
２０  下位装置
２２  カメラ
２３  無線部
【図１】
2012249147.tif 000003
【図２】
2012249147.tif 000004
【図３】
2012249147.tif 000005
【図４】
2012249147.tif 000006